(57)【要約】      （修正有）【課題】タッチパネルの表示領域に重なる領域及びその外側の領域の双方において、それぞれ対象物を検知するのに適切な検出特性を有する表示装置を提供する。【解決手段】表示装置１０は、表示パネル１とタッチパネル２を備える。タッチパネル２は、表示領域ＡＡと重なる第１領域Ｒ１と、第１領域の外側の第２領域Ｒ２とを有する。第１電極４、６及び第２電極５、７の材料、第１電極４、６間又は第２電極５、７間の間隔、第１電極４、６又は第２電極５、７の形状、第１電極４、６及び第２電極５、７が接続される制御部、もしくは、第１電極４、６又は第２電極５、７に接続される引き出し配線の配置位置、のうち少なくとも１つを、第１領域Ｒ１と第２領域Ｒ２との間で異ならせる。【選択図】図１
2017107253.tif 000002
【特許請求の範囲】
【請求項１】
画像を表示する表示領域を有する表示パネルと、
前記表示パネルに重畳して設けられる複数の第１電極及び複数の第２電極と、前記第１電極と前記第２電極との間の容量を検出することにより、対象物の接触又は接近を検知する制御部とを有するタッチパネルと、を備え、
前記タッチパネルは、前記表示領域と重なる第１領域と、前記第１領域の外側の第２領域とを有し、
前記第１電極及び前記第２電極の材料、前記第１電極間又は前記第２電極間の間隔、前記第１電極又は前記第２電極の形状、前記第１電極及び前記第２電極が接続される制御部、もしくは、前記第１電極又は前記第２電極に接続される引き出し配線の配置位置、のうち少なくとも１つが、前記第１領域と前記第２領域との間で異なっている、表示装置。
【請求項２】
前記第２領域における前記第１電極間又は前記第２電極間の間隔は、前記第１領域における前記第１電極間又は前記第２電極間の間隔より小さい、請求項１に記載の表示装置。
【請求項３】
前記タッチパネルは、前記第１電極及び前記第２電極を覆う透明カバーを有し、前記第２領域における前記第１電極及び前記第２電極により、前記透明カバーの縁における前記対象物の接触又は接近を検知する、請求項１又は２に記載の表示装置。
【請求項４】
前記第１領域における前記第１電極及び前記第２電極は、透明導電体であり、前記第２領域における前記第１電極及び前記第２電極は、金属導電体である、請求項１〜３のいずれか１項に記載の、表示装置。
【請求項５】
前記第１領域における前記第１電極及び前記第２電極と、前記第２領域における前記第１電極及び前記第２電極とは、異なる層に形成される、請求項１〜４のいずれか１項に記載の、表示装置。
【請求項６】
前記第１領域における前記第１電極及び前記第２電極が設けられる面と、前記第２領域における前記第１電極及び前記第２電極が設けられる面は、いずれも、前記表示パネルの表示面に平行である、請求項１〜５のいずれか１項に記載の、表示装置。
【請求項７】
前記表示パネルは、前記タッチパネルの前記第１領域に対応する第１表示領域と、前記タッチパネルの前記第２領域に対応する第２表示領域とを有し、
前記タッチパネルの前記第１領域において検出された対象物の位置に基づいて、前記第１表示領域に表示する画像を生成する第１画像生成部と、
前記タッチパネルの前記第２領域において検出された対象物の位置に基づいて、前記第２表示領域に表示する画像を生成する第１画像生成部と、さらに備える、請求項１〜６のいずれか１項に記載の、表示装置。
【請求項８】
前記第１領域の前記第１電極又は前記第２電極の少なくとも一部は、前記第２領域の前記第１電極又は前記第２電極の少なくとも一部と接続されている、請求項１〜７のいずれか１項に記載の表示装置。
【請求項９】
請求項１〜８のいずれか１項に記載の表示装置を有する電子機器。
【発明の詳細な説明】
【技術分野】
【０００１】
本願開示は、タッチパネルを有する表示装置において対象物の接触又は接近を検知する技術に関する。
【背景技術】
【０００２】
スマートフォンやタブレット等の表示装置にはタッチパネルが設けられる。例えば、下記特許文献１には、パネルに設けられた一対の電極に指が接近した際の電極間の電界変化を検出することで、指の位置を検出する技術が開示されている。タッチパネルは、画像を表示する表示領域を有する表示パネルに重ねて設けられることが多い。
【先行技術文献】
【特許文献】
【０００３】
【特許文献１】米国特許第６４５２５１４号明細書
【発明の概要】
【発明が解決しようとする課題】
【０００４】
本願発明者らは、タッチパネルの表示領域と重なる領域に加えて、表示領域の外側の領域、例えば、額縁領域においても対象物を検出できるタッチパネルを開発している。従来、表示領域に重なる領域及びその外側の領域の双方に適した検出精度、感度等の検出特性を実現するための仕組みはなかった。そこで、本願は、タッチパネルの表示領域に重なる領域及びその外側の領域の双方に適した検出特性を実現するための技術を開示する。
【課題を解決するための手段】
【０００５】
本願開示の表示装置は、画像を表示する表示領域を有する表示パネルと、前記表示パネルに重畳して設けられる複数の第１電極及び複数の第２電極と、前記第１電極と前記第２電極との間の容量を検出することにより、対象物の接触又は接近を検知する制御部とを有するタッチパネルと、を備える。前記タッチパネルは、前記表示領域と重なる第１領域と、前記第１領域の外側の第２領域とを有する。前記第１電極及び前記第２電極の材料、前記第１電極間又は前記第２電極間の間隔、前記第１電極又は前記第２電極の形状、前記第１電極及び前記第２電極が接続される制御部、もしくは、前記第１電極又は前記第２電極に接続される引き出し配線の配置位置、のうち少なくとも１つが、前記第１領域と前記第２領域との間で異なっている。
【発明の効果】
【０００６】
本願開示によれば、タッチパネルの表示領域に重なる領域及びその外側の領域の双方において、それぞれ対象物を検知するのに適切な検出特性を有する表示装置が実現できる。
【図面の簡単な説明】
【０００７】
【図１】図１は、実施形態１における表示装置の構成の一例を示す断面図である。
【図２】図２は、図１のタッチパネル２の矢印IIの方向から見た構成の一例を示す平面図である。
【図３】図３は、図２のタッチパネル２における第２電極５、７へ入力される駆動信号の波形の一例を示す図である。
【図４】図４は、図２のタッチパネル２における第２電極５、７へ入力される駆動信号の波形の他の例を示す図である。
【図５】図５は、タッチパネル２を含む表示装置１０の処理の流れの例を示す図である。
【図６】図６は、実施形態２における表示装置１０の構成の一例を示す平面図である。
【図７】図７は、図６のタッチパネル２における第２電極５、７へ入力される駆動信号の波形の一例を示す図である。
【図８】図８は、実施形態３における表示装置１０の構成の一例を示す平面図である。
【図９】図９は、領域Ｒ１と領域Ｒ２とで間隔が異なる第１電極及び第２電極の変形例を示す図である。
【図１０】図１０は、図８のタッチパネル２における第２電極５、７へ入力される駆動信号の波形の一例を示す図である。
【図１１】図１１は、実施形態４における表示装置１０の構成の一例を示す図である。
【図１２】図１２は、図１１のタッチパネル２における第２電極５、７へ入力される駆動信号の波形の一例を示す図である。
【図１３】図１３は、図１１に示すタッチパネル２を含む表示装置１０全体の処理の流れの例を示す図である。
【図１４】図１４は、実施形態５における表示装置の層構成の一例を示す図である。
【図１５】図１５は、図１４に示す表示装置１０の断面図である。
【図１６】図１６は、図１４及び図１５に示すタッチパネル２の第１の層２−１の電極構成例を示す図である。
【図１７】図１７は、図１４及び図１５に示すタッチパネル２の第２の層２−２の電極構成例を示す図である。
【図１８】図１８は、実施形態６における表示装置１０の構成の一例を示す図である。
【図１９】図１９は、実施形態６における表示装置１０の構成例を示す機能ブロック図である。
【図２０】図２０は、第１表示領域ＡＡ１及び第２表示領域ＡＡ２に表示される画像の一例を示す図である。
【図２１】図２１は、領域Ｒ１の上下に領域Ｒ２が配置される例を示す図である。
【図２２】図２２は、図２１のタッチパネル２における第２電極５、７へ入力される駆動信号の波形の一例を示す図である。
【図２３】図２３は、領域Ｒ１の左右及び上下に領域Ｒ２が配置される例を示す図である。
【図２４】図２４は、図２３のタッチパネル２における第２電極５、７へ入力される駆動信号の波形の一例を示す図である。
【図２５】図２５は、タッチパネルの透明カバーの縁における対象物を検知する構成の一例を示す断面図である。
【発明を実施するための形態】
【０００８】
本発明の一実施形態における表示装置は、画像を表示する表示領域を有する表示パネルと、前記表示パネルに重畳して設けられる複数の第１電極及び複数の第２電極と、前記第１電極と前記第２電極との間の容量を検出することにより、対象物の接触又は接近を検知する制御部とを有するタッチパネルと、を備える。前記タッチパネルは、前記表示領域と重なる第１領域と、前記第１領域の外側の第２領域とを有する。前記第１電極及び前記第２電極の材料、前記第１電極間又は前記第２電極間の間隔、前記第１電極又は前記第２電極の形状、前記第１電極及び前記第２電極が接続される制御部、もしくは、前記第１電極又は前記第２電極に接続される引き出し配線の配置位置、のうち少なくとも１つが、前記第１領域と前記第２領域との間で異なっている。
【０００９】
上記構成により、第１領域と第２領域の間で、対象物の検出に用いられる電極の構成を異ならせることができる。そのため、第１領域の検出特性と第２領域の検出特性は異なる構成となる。そのため、タッチパネルの表示領域に重なる第１領域及びその外側の第２領域のそれぞれにおいて、対象物の検知に適した検出特性を実現することができる。
【００１０】
上記構成において、前記第２領域における前記第１電極間又は前記第２電極間の間隔は、前記第１領域における前記第１電極間又は前記第２電極間の間隔より小さくすることができる。これにより、第２領域の検出精度を第１領域より高くすることができる。
【００１１】
前記タッチパネルは、前記表示領域を覆う透明カバーを有し、前記第２領域における前記第１電極及び前記第２電極により、前記透明カバーの縁における前記対象物の接触又は接近を検知する構成とすることができる。これにより、表示領域における対象物の検出精度と、表示領域の外側の透明カバーの縁における対象物の検出精度を異ならせることができる。そのため、透明カバーの表示領域に重なる部分及び、透明カバーの縁の双方において、それぞれ、対象物の検出に適した検出特性を実現することができる。
【００１２】
前記第１領域における前記第１電極及び前記第２電極は、透明導電体であり、前記第２領域における前記第１電極及び前記第２電極は、金属導電体である構成とすることができる。これにより、第２領域における第１電極及び第２電極の抵抗を、第１領域における第１電極及び第２電極の抵抗より小さくすることができる。そのため、第２領域における検出性能をより向上させることができる。
【００１３】
前記第１領域における前記第１電極及び前記第２電極と、前記第２領域における前記第１電極及び前記第２電極とは、異なる層に形成されてもよい。これにより、第１領域及び第２領域それぞれにおける第１電極及び第２電極の設計自由度を高めることができる。
【００１４】
前記第１領域における前記第１電極及び前記第２電極が設けられる面と、前記第２領域における前記第１電極及び前記第２電極が設けられる面は、いずれも、前記表示パネルの表示面に平行とすることできる。これにより、第１領域の第１電極及び第２電極も、第２領域の第１電極及び第２電極を同一面上または平行な面上に形成するので、電極形成工程が複雑になりにくい。そのため、第１領域と第２領域とで検出性能を異ならせるのが容易になる。
【００１５】
前記表示パネルは、前記タッチパネルの前記第１領域に対応する第１表示領域と、前記タッチパネルの前記第２領域に対応する第２表示領域とを有してもよい。この場合、前記表示装置は、前記タッチパネルの前記第１領域において検出された対象物の位置に基づいて、前記第１表示領域に表示する画像を生成する第１画像生成部と、前記タッチパネルの前記第２領域において検出された対象物の位置に基づいて、前記第２表示領域に表示する画像を生成する第１画像生成部と、さらに備えることができる。これにより、第１表示領域の表示とは独立して、第２表示領域に表示を制御することができる。
【００１６】
前記第１領域の前記第１電極又は前記第２電極の少なくとも一部は、前記第２領域の前記第１電極又は前記第２電極の少なくとも一部と接続されている構成とすることができる。これにより、第１領域と第２領域で、対象物を検出するための電極の少なくとも一部を共有することができる。そのため、タッチパネルの部材を少なくすることができる。また、第１領域及び第２領域に跨る一連の対象物の動作を検出しやすくなる。
【００１７】
上記の表示装置を備えた各種電子機器も、本発明の実施形態に含まれる。
【００１８】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１９】
＜実施形態１＞
（タッチパネルの構成例）
図１は、実施形態１における表示装置１０の構成の一例を示す断面図である。図２は、図１のタッチパネル２の矢印IIの方向から見た構成の一例を示す平面図である。
【００２０】
図１に示す例では、表示装置１０は、表示パネル１と、表示パネル１に重畳して設けられるタッチパネル２を備える。表示パネル１は、画像が表示される表示領域ＡＡを有する。表示領域ＡＡは、画像を表示するための画素が配置される領域である。表示パネル１の形態は、特に限定されないが、例えば、液晶パネルとすることができる。液晶パネルは、アクティブマトリクス基板、対向基板、及びアクティブマトリクス基板及び対向基板の間に設けられる液晶層を備える。
【００２１】
タッチパネル２は、表示領域ＡＡを覆うように表示パネル１に重畳して設けられる。表示領域ＡＡの画素から出た光は、タッチパネル２を透過してタッチパネル２の表面から出射される。図１に示す例では、表示パネル１とタッチパネル２との間にエアギャップが設けられる。
【００２２】
タッチパネル２は、透明基板２ｂ、第１電極４、６、第２電極５、７、及び、透明カバー２ａを備える。第１電極４、６及び第２電極５、７は、透明基板２ｂに設けられる。透明カバー２ａは、第１電極４、６及び第２電極５、７を覆うように設けられる。タッチパネル２は、これらの第１電極と第２電極との間の容量を検出することにより、指又はペン等の対象物の接触又は接近を検知する。
【００２３】
タッチパネル２において表示領域ＡＡに重なる領域Ｒ１（第１領域の一例）における第１電極４及び第２電極５の材料と、領域Ｒ１の外側の領域Ｒ２（第２領域の一例）における第１電極６及び第２電極７の材料は異なっている。例えば、領域Ｒ２における第１電極６及び第２電極７の電気抵抗は、領域Ｒ１における第１電極４及び第２電極５の電気抵抗より低くなるように、第１電極４、６及び第２電極５、７の材料を選択することができる。このように、領域Ｒ１における第１電極４及び第２電極５の電気特性を、領域Ｒ２における第１電極６及び第２電極７と異ならせることによって、領域Ｒ１と領域Ｒ２とで、対象物の検出特性を異ならせることができる。
【００２４】
図２に示す例では、タッチパネル２は、表示領域ＡＡに重なる領域Ｒ１において、第１の方向（本例では図面の縦方向）に延びる複数の第１電極４（４−１〜４−４）と、領域Ｒ１において上記第１の方向とは異なる第２の方向（本例では図面の横方向）に延びる複数の第２電極５（５−１〜５−６）が配置される。第１電極４と第２電極５とは、電気的に接続されておらず、絶縁されている。
【００２５】
各第１電極４は、第１の方向に並ぶ複数の第１電極パッド４ａと、隣り合う第１電極パッド４ａ間を接続する第１接続線４ｂで構成される。各第２電極５も、上記第１の方向と垂直な方向に並ぶ複数の第２電極パッド５ａと、隣り合う第２電極パッド５ａ間を接続する第２接続線５ｂで構成される。第１電極パッド４ａと第２電極パッド５ａは互いに隣り合うように配置される。
【００２６】
領域Ｒ１の左右の領域Ｒ２にも、第１の方向に延びる第１電極６と、上記第１の方向とは異なる第２の方向に延びる複数の第２電極７（７−１〜７−２）が配置される。領域Ｒ２における各第１電極６は、上記第１の方向に並ぶ複数の第１電極パッド６ａと、隣り合う第１電極パッド６ａ間を接続する第１接続線６ｂで構成される。各第２電極７も、上記第２の方向に並ぶ複数の第２電極パッド７ａと、隣り合う第２電極パッド７ａ間を接続する第２接続線７ｂで構成される。第１電極パッド６ａと第２電極パッド７ａは互いに隣り合うように配置される。なお、第１電極６と第２電極７とは、電気的に接続されておらず、絶縁されている。また、領域Ｒ１の第２電極５と領域Ｒ２の第２電極７とは、互いに接続されず、絶縁されている。例えば、平面視で第１電極６と第２電極７が重なる部分、すなわち、第１電極６と第２電極７の交点において、第１電極６と第２電極７との間に絶縁層が設けられる。
【００２７】
図２に示す例では、複数の矩形の電極パッド４ａ、５ａ、６ａ、７ａが行と列を有するマトリクス状に配置される。表示画面の縦方向、すなわち垂直方向に並んで配置される複数の第１電極パッド４ａ、６ａが列を構成する。表示画面の横方向、すなわち水平方向に並んで配置される複数の第２電極パッド５ａ、７ａが行を構成する。各列の第１電極４、６は、第１引き出し配線４ｃ、６ｃを介して、ＴＰコントローラ１１（Touch panel controller）に接続される。各行の第２電極５、７は、第２引き出し配線５ｃ、７ｃを介して、ＴＰコントローラ１１に接続される。また、第１引き出し配線４ｃ、６ｃ及び第２引き出し配線５ｃ、７ｃは、領域Ｒ１及び領域Ｒ２の外側の配線領域Ｈに配置される。
【００２８】
ＴＰコントローラ１１は、第１電極４、６及び第２電極５、７の電圧信号を制御することにより、隣り合う第１電極４、６と第２電極５、７との間の容量変化を検出する。ＴＰコントローラ１１は、検出した容量変化に基づいて、タッチパネル２へ接近または接触する対象物の位置を特定することができる。ＴＰコントローラ１１は、第１電極と第２電極との間の容量に基づいて、対象物の接触又は接近を検知する制御部の一例である。ＴＰコントローラは、例えば、タッチパネル２上、又は、タッチパネル２に接続されるＦＰＣ（図示せず）上に設けられる半導体チップ（図示せず）で構成することができる。
【００２９】
一例として、領域Ｒ１の第１電極４及び第２電極５は、ＩＴＯ等の透明導電体で形成することができる。領域Ｒ２の第１電極６及び第２電極７は、透明導電体の抵抗より低い抵抗を持つＡｌ、Ｃｏ、Ｍｏ等の金属で形成することができる。このように、領域Ｒ２の第１電極６及び第２電極７に低抵抗配線を用いることで、領域Ｒ２における電極を通る信号のノイズ成分を少なくすることができる。そのため、領域Ｒ２において、高性能な対象物の検出が可能になる。例えば、領域Ｒ２において、領域Ｒ１よりも高精度又は高感度な検出が可能になる。あるいは、領域Ｒ２において、ホバー（hover）検出が可能な構成とすることもできる。ホバー検出では、タッチパネル２に接触せず近接する対象物の位置が検出される。
【００３０】
図１及び図２に示した第１電極４、６及び第２電極５、７の構成は一例であり、第１電極及び第２電極の構成は、上記例に限定されない。例えば、上記構成において、領域Ｒ１の第１電極４間又は第２電極５間の間隔と、領域Ｒ２の第１電極６間又は第２電極７の間隔とが異なっていてもよい。また、領域Ｒ１の第１電極４又は第２電極５の形状と、領域Ｒ２の第１電極６又は第２電極７の形状とが異なっていてもよい。また、領域Ｒ１の引き出し配線５ｃの引き出し方向と領域Ｒ２の引き出し配線７ｃの引き出し方向が異なっていてもよい。また、領域Ｒ１の第１電極４及び第２電極５の接続先のＴＰコントローラ１１と領域Ｒ２の１電極６及び第２電極７の接続先のＴＰコントローラ１１が異なっていてもよい。また、第１電極及び第２電極の数は、図１及び図２に限定されない。
【００３１】
（動作例）
図２に示すタッチパネル２は、静電容量方式を用いるものである。例えば、隣り合う第１電極パッド４ａと、第２電極パッド５ａに対して指又はペン等の対象物が接近又は接触すると、この第１電極パッド４ａと、第２電極パッド５ａとの間の容量が変化する。この容量の変化を検出することにより、対象物の接近又は接触を検知することができる。タッチパネル２は、領域Ｒ１の第１電極４と第２電極５の間の容量を検出することにより、領域Ｒ１に対する対象物の接触又は接近を検知する。また、タッチパネル２は、領域Ｒ２の第１電極６と第２電極７の間の容量を検出することにより、領域Ｒ２に対する対象物の接触又は接近を検知する。
【００３２】
例えば、領域Ｒ１において、第１電極４及び第２電極５のうち一方を駆動電圧が印加される駆動電極に、他方を、容量値を検出するための検出電極にすることができる。同様に、領域Ｒ２においても、第１電極６及び第２電極７のうち一方を駆動電極に、他方を検出電極にすることができる。なお、駆動電極は、ドライブライン又は送信ラインと称してもよい。検出電極は、センスライン又は受信ラインと称してもよい。
【００３３】
ＴＰコントローラ１１は、第２電極５、７へ駆動信号を入力し、第１電極４、６から応答信号を受信することで、第１電極４、６と第２電極５、７との間の容量の値を得ることができる。この容量の値として、例えば、第１電極４、６と第２電極５、７との交点（ノード）それぞれに対応する値を得ることができる。
【００３４】
図３は、図２のタッチパネル２における第２電極５、７へ入力される駆動信号の波形の一例を示す図である。図３において、上部のＤＬ１（ＡＡ）、ＤＬ２（ＡＡ）、ＤＬ３（ＡＡ）、…ＤＬ６（ＡＡ）は、表示領域ＡＡに重なる領域Ｒ１における第２電極５−１、５−２、５−３、…、５−６へそれぞれ入力される駆動信号の波形を表している。下部のＤＬ１（Ｅｄｇｅ）、ＤＬ２（Ｅｄｇｅ）、ＤＬ３（Ｅｄｇｅ）、…、ＤＬ６（Ｅｄｇｅ）は、領域Ｒ２における第２電極７−１、７−２、７−３、…、７−６へそれぞれ入力される駆動信号の波形を表している。
【００３５】
図３に示す例では、領域Ｒ１では、駆動電極である第２電極５−１、５−２、５−３、…５−６に対して、順次、パルスが、周期Ｔ１ｄで、予め決められた回数すなわちＮ１回（本例ではＮ１＝２）ずつ印加される。この回数Ｎ１は、例えば、積分回数と称することもできる。第２電極５−１のパルスに同期して、第２電極５−１と交差する複数の第１電極４−１〜４−４それぞれの電圧信号がＴＰコントローラ１１で検出される。例えば、ＤＬ１（ＡＡ）において１つのパルスが印加されると、このパルスにより生じた第２電極５−１と第１電極４−１との間の容量に対応する電荷がＴＰコントローラ１１の蓄積容量へ転送され、保持される。この電荷転送及び保持動作が、Ｎ１回（本例ではＮ１＝２）、繰り返される。その後、ＴＰコントローラ１１は、Ｎ１回のパルスにより蓄積容量に蓄積された電荷による電圧を測定する。測定値を用いて、第２電極５−１と第１電極４−１間の交点に対応する位置における対象物の有無、又は容量の値を判断することができる。この場合、積分回数Ｎ１は、１本の駆動電極における１回の測定で駆動電極に印加されるパルスの数となる。すなわち、１回の測定の際に駆動電極（第２電極５、７）に入力する駆動信号のパルスの回数が積分回数となる。
【００３６】
領域Ｒ２では、駆動電極である第２電極７−１、７−２、７−３、…７−６に対して、順次、パルスが、周期Ｔ２ｄで、予め決められた回数すなわちＮ２回（本例ではＮ２＝４）ずつ印加される。すなわち、領域Ｒ２における駆動電極に入力される駆動信号のパルスの数、すなわち、積分回数Ｎ２は、領域Ｒ１における積分回数Ｎ１とは異なっている。また、領域Ｒ２における駆動信号のパルスの周期Ｔ２ｄも、領域Ｒ１における駆動信号のパルスの周期Ｔ１ｄと異なっている。
【００３７】
なお、本例では、領域Ｒ１における複数の第２電極５−１〜５−６を駆動させるのに要する時間、すなわち、１フレーム分の動作時間Ｔ１ｆと、領域Ｒ２における複数の第２電極７−１〜７−６を駆動させるのに要する時間、すなわち１フレーム分の動作時間Ｔ２ｆは同じである。ここで、動作時間は、所定の領域Ｒ１又は領域Ｒ２を走査するのに要するセンシング時間ということもできる。
【００３８】
本実施形態では、領域Ｒ２の第１電極６及び第２電極７の抵抗が、領域Ｒ１の第１電極４及び第２電極５より抵抗より低い。また、領域Ｒ２の第１電極６と第２電極７との交点が領域Ｒ１の第１電極４と第２電極５との交点より少ない。そのため、領域Ｒ２の交点容量が領域Ｒ１の交点容量より小さくなる。その結果、領域Ｒ２のトータルの負荷容量は、領域Ｒ１のトータルの負荷容量より小さくなる。これにより、領域Ｒ２の積分回数Ｎ２を領域Ｒ１の積分回数Ｎ１より多くすることが容易になる。例えば、積分回数をｎ倍（ｎは自然数）にすることにより、ノイズを、１／√Ｎ倍にすることができる。その結果、Ｓ／Ｎ比が向上し、タッチパネルの感度向上、又は、ホバー検出性能の向上が可能になる。
【００３９】
このように、領域Ｒ２において、各第２電極７へ入力される駆動信号のパルスの回数と、領域Ｒ１における各第２電極５へ入力される駆動信号のパルスの回数を異ならせることができる。これにより、領域Ｒ１及び領域Ｒ２それぞれにおいて求められるＳ／Ｎ比、感度、ホバー検出性能等の性能に応じた適切な駆動が可能になる。
【００４０】
（駆動の変形例）
図４は、図２のタッチパネル２における第２電極５、７へ入力される駆動信号の波形の他の例を示す図である。図４に示す例では、領域Ｒ１における各第２電極５に入力される駆動信号のパルスの周期Ｔ１ｄより、領域Ｒ２における各第２電極７に入力される駆動信号のパルスの周期Ｔ２ｄの方が短くなっている。領域Ｒ１の駆動信号のパルスの回数Ｎ１すなわち積分回数Ｎ１は、領域Ｒ２の駆動信号の積分回数Ｎ２と同じである（本例では、Ｎ１＝Ｎ２＝２）。これにより、領域Ｒ２の１フレーム分の動作時間Ｔ２ｆは、領域Ｒ１の１フレーム分の動作時間Ｔ１ｆより短くなっている。
【００４１】
図２に示す構成では、上述のように、領域Ｒ２のトータルの負荷容量は、領域Ｒ１のトータルの負荷容量より小さくなる。そのため、領域Ｒ２の動作時間Ｔ２ｆを短くすることが容易になる。例えば、領域Ｒ２の動作時間を1/ｎ倍（ｎは自然数）に高速化することにより、領域Ｒ２におけるタッチパネルのレポートレートを約ｎ倍に高速化できる。そのため、領域Ｒ２において、例えば、タッチパネルの高速動作、指の動きに対する高い追従性、又は、高精度化等を実現することができる。
【００４２】
上記の図３に示した例では、領域Ｒ１と領域Ｒ２とで、積分回数及び周期が異なっている。領域Ｒ１と領域Ｒ２とで、１フレーム分の動作時間は同じである。これに対して、図４に示す例では、領域Ｒ１と領域Ｒ２とで、パルスの回数は同じであるが、パルスの周期が異なっている。そのため、領域Ｒ１と領域Ｒ２とで、１フレーム分の駆動電極の走査に要する動作時間が異なっている。これらの例では、いずれも、領域Ｒ２における駆動電極へ入力される駆動信号と、領域Ｒ１における駆動電極に入力される駆動信号が異なっている。これにより、領域Ｒ１及び領域Ｒ２それぞれにおいて求められる検出特性に応じた適切な駆動が可能になる。
【００４３】
図５は、タッチパネル２を含む表示装置１０全体の処理の流れの例を示す図である。図５に示す例では、表示領域ＡＡに対する対象物の接触又は接近を検出するためのタッチシグナルが、タッチパネル２の領域Ｒ１の第１電極４を介してＴＰコントローラ１１へ送信される（Ｓ１）。また、表示領域ＡＡの外側の額縁領域に対する対象物の接触又は接近を検出するためのタッチシグナルが、領域Ｒ２の第１電極６を介してＴＰコントローラ１１へ送信される（Ｓ２）。
【００４４】
ＴＰコントローラ１１は、例えば、表示領域ＡＡのタッチシグナル及び額縁領域のタッチシグナルを切り分けて、それぞれ独立して処理することができる。すなわち、ＴＰコントローラ１１で、領域Ｒ１からのタッチシグナルに基づいて、表示領域ＡＡのタッチ入力データ（例えば、座標）を演算し、領域Ｒ２からのタッチシグナルに基づいて、額縁領域のタッチ入力データをそれぞれ演算することができる（Ｓ３）。この場合、領域Ｒ２の第１電極６及び第２電極７の抵抗が低いので、領域Ｒ２のタッチ入力データの精度を領域Ｒ２より高くすることができる。或は、領域Ｒ２におけるホバー高さ等も、ＴＰコントローラ１１で演算することもできる。
【００４５】
ＴＰコントローラ１１で演算されたタッチ入力データは、例えば、表示装置１０が備えるコンピュータに出力される。表示装置１０のコンピュータで実行させる端末ＯＳやアプリケーションによる処理において、ＴＰコントローラ１１から出力されるタッチ入力データが使用される（Ｓ４）。ここで、タッチ入力データは、例えば、タッチした指の位置を示す座標を含むデータであってもよい。或は、動作の内容（例えば、タッチ、リリース等）と動作の位置を示す座標を含むデータであってもよい。或は、各座標の検出値を示すデータ（例えば、容量マップ等）をタッチ入力データとしてもよい。なお、ＴＰコントローラ１１から出力されたタッチ入力データを用いて、表示装置１０のコンピュータが、ホバー高さ等を演算することもできる。
【００４６】
＜実施形態２＞
図６は、実施形態２における表示装置１０の構成の一例を示す平面図である。図６に示す例では、第１電極６及び第２電極５、７の構成が、実施形態１とは異なっている。具体的には、表示領域ＡＡと重なる領域Ｒ１の第１電極４間の間隔（ピッチ）は、領域Ｒ２の第１電極６間の間隔と異なっている。言い換えれば、領域Ｒ１における第１電極４と第２電極５との交点間の距離と、領域Ｒ２における第１電極６と第２電極７との交点間の距離とが異なっている。本例では、領域Ｒ２の第１電極６間の間隔が、領域Ｒ１の第１電極４間の間隔より狭くなっている。そのため、領域Ｒ２の第１電極４及び第２電極５の密度が、領域Ｒ１の第１電極６及び第２電極７の密度より高くなっている。
【００４７】
このように、表示領域ＡＡに重なる領域Ｒ１と、その周辺の領域Ｒ２とで、電極の間隔を異ならせることで、領域Ｒ１におけるタッチパネルの検出精度と、領域Ｒ２におけるタッチパネルの検出精度とを異ならせることができる。例えば、第１配線のピッチが狭い領域Ｒ２においては、領域Ｒ１よりも高い精度で対象物の接触又は接近を検出することができる。
【００４８】
また、領域Ｒ１の第１電極４の形状と領域Ｒ２の第１電極６の形状は異なっている。領域Ｒ１の第２電極５の形状と領域Ｒ２の第２電極７の形状も異なっている。具体的には、領域Ｒ１の第１電極４及び第２電極５は、縦又は横の方向に並ぶ互いに接続された複数の矩形の電極パッドを含む。これに対して、領域Ｒ２の第１電極６は、縦方向に延びる線状の電極であり、領域Ｒ２の第２電極７は、横方向に延びる線状の電極で形成される。第１電極６と第２電極７とは絶縁層を介して互いに隔てられて配置される。
【００４９】
領域Ｒ１の第２電極５は、領域Ｒ２の第２電極７に接続されている。すなわち、領域Ｒ１の第２電極５は、領域Ｒ１の外側まで延びて領域Ｒ２において電極７を形成している。これにより、領域Ｒ１及びその外側の領域Ｒ２において、タッチパネルの電極を効率よく配置することができる。本例では、第２電極５、７は、駆動信号が入力される駆動電極である。この場合、領域Ｒ１の駆動電極と領域Ｒ２の駆動電極を同じ駆動信号で制御することができる。そのため、制御処理を単純にすることができる。なお、本例では、領域Ｒ１の全ての第２電極５が、それぞれ、領域Ｒ２の第２電極７に接続されているが、領域Ｒ１の複数の第２電極５のうち一部が、領域Ｒ２の第２電極７に接続されてもよい。
【００５０】
図６に示す例では、領域Ｒ１の第１電極４間の間隔と領域Ｒ２の第１電極６間の間隔が異なっており、領域Ｒ１の第２電極５間の間隔と領域Ｒ２の第２電極７間の間隔は同じである。変形例としては、領域Ｒ１の第２電極５間の間隔と領域Ｒ２の第２電極７間の間隔が異なっており、領域Ｒ１の第１電極４間の間隔と領域Ｒ２の第１電極６間の間隔は同じである構成としてもよい。或いは、領域Ｒ１の第１電極４間の間隔と領域Ｒ２の第１電極６間の間隔が異なり、かつ、領域Ｒ１の第２電極５間の間隔と、領域Ｒ２の第２電極７間の間隔が異なる構成であってもよい（具体例については、実施形態３参照）。
【００５１】
図６に示す例では、領域Ｒ２の第１電極６及び第２電極７は線状（いわゆるラインパターン）であるが、これらは、領域Ｒ１の第１電極４及び第２電極５と同様に、１つの方向に並ぶ互いに接続された矩形の電極パッド（例えば、ダイヤパターンの電極パッド）で形成されてもよい。また、領域Ｒ１と領域Ｒ２との間で、第１電極又は第２電極の形状は同じで、間隔が異なる構成にすることもできる。
【００５２】
また、本実施形態は、領域Ｒ１の第１電極４間の間隔と領域Ｒ２の第１電極６間の間隔が異なる構成であるが、例えば、領域Ｒ１の第１電極４間の間隔と領域Ｒ２の第１電極６間の間隔は同じで、領域Ｒ１の第１電極４の形状と領域Ｒ２の第１電極６の形状が異なる構成とすることができる。
【００５３】
本実施形態では、領域Ｒ１の第１電極４及び第２電極５の材料は、領域Ｒ２の第１電極６及び第２電極７の材料を同じにすることができる。領域Ｒ１及び領域Ｒ２の第１電極４、６及び第２電極５、７として、例えば、ＩＴＯ等の透明電極を用いることができる。これに対して、領域Ｒ１の第１電極４及び第２電極５の材料が、領域Ｒ２の第１電極６及び第２電極７の材料と異なってもよい。これにより、領域Ｒ１と領域Ｒ２の検出性能の差をより顕著にすることができる。また、領域Ｒ１の引き出し配線５ｃの引き出し方向と領域Ｒ２の引き出し配線７ｃの引き出し方向が異なっていてもよい。また、領域Ｒ１の第１電極４及び第２電極５の接続先のＴＰコントローラ１１と領域Ｒ２の１電極６及び第２電極７の接続先のＴＰコントローラ１１が異なっていてもよい。
【００５４】
（動作例）
図６に示す例では、駆動電極である第２電極５、７が領域Ｒ１と領域Ｒ２で繋がっている。すなわち、表示領域ＡＡに対応する領域Ｒ１及び額縁領域に対応する領域Ｒ２の駆動電極は共通である。そのため、１本の第２電極に入力される駆動信号により、領域Ｒ１と領域Ｒ２の電界を制御することができる。
【００５５】
図７は、図６のタッチパネル２における第２電極５、７へ入力される駆動信号の波形の一例を示す図である。図７において、ＤＬ１（ＡＡ＆Ｅｄｇｅ）、ＤＬ２（ＡＡ＆Ｅｄｇｅ）、ＤＬ３（ＡＡ＆Ｅｄｇｅ）、…ＤＬ６（ＡＡ＆Ｅｄｇｅ）は、表示領域ＡＡに重なる領域Ｒ１及び領域Ｒ２双方に跨って形成される第２電極５−１＆７−１、５−２＆７−２、５−３＆７−３、…、５−６＆７−６へそれぞれ入力される駆動信号の波形を表している。図７に示す例では、領域Ｒ１及び領域Ｒ２に形成された第２電極５−１＆７−１、５−２＆７−２、５−３＆７−３、…、５−６＆７−６に対して、順次、パルスが、周期Ｔｄで、予め決められた回数すなわちＮ回（本例ではＮ＝４）ずつ印加される。
【００５６】
このように、領域Ｒ１と領域Ｒ２には、共通の駆動信号が印加される。ここで、領域Ｒ２の第１電極６間の間隔は、領域Ｒ１の第１電極４間の間隔より小さい。そのため、領域Ｒ２では、横方向、すなわち、第１電極４、６が並ぶ方向におけるタッチパネルの解像度が領域Ｒ１より高くなる。
【００５７】
＜実施形態３＞
図８は、実施形態３における表示装置１０の構成の一例を示す平面図である。図８に示す例では、第１電極６及び第２電極５、７の構成が、実施形態１及び実施形態２とは異なっている。具体的には、領域Ｒ１の第１電極４間の間隔と領域Ｒ２の第１電極６間の間隔とが異なっており、さらに、領域Ｒ１の第２電極５間の間隔と領域Ｒ２の第２電極７間の間隔も異なっている。本例では、領域Ｒ２の第１電極６間の間隔が、領域Ｒ１の第１電極４間の間隔より狭くなっており、かつ、領域Ｒ２の第２電極７間の間隔も、領域Ｒ１の第２電極５間の間隔より狭くなっている。そのため、領域Ｒ２の電極の密度が、領域Ｒ１の電極の密度より高くなっている。例えば、第１電極間及び第２電極間の双方の間隔を、領域Ｒ１と領域Ｒ２とで異ならせることで、領域Ｒ１と領域Ｒ２との間の検出特性の差をより広げることができる。
【００５８】
図８に示す例では、領域Ｒ１の第２電極５−１〜５−６は、それぞれ、領域Ｒ１の左右の辺から外側へ延びて、領域Ｒ２の第２電極７−２、７−４、７−６、７−８、７−１０、７−１２に接続される。領域Ｒ２において、領域Ｒ１の第２電極５−１〜５−６に接続された複数の第２電極７−２、７−４、７−６、７−８、７−１０、７−１２のそれぞれと隣り合う位置に、さらに第２電極７−１、７−３、７−５、７−７、７−９、７−１１、７−１３が配置される。領域Ｒ２では、領域Ｒ１の第２電極５に接続されていない第２電極７の間に、領域Ｒ１の第２電極５に接続された第２電極７が少なくとも１本配置される。このように、図８に示す例では、第２電極は、領域Ｒ２専用の電極と、領域Ｒ１と領域Ｒ２で共通の電極とを含んでいる。本例では、領域Ｒ１は、表示領域ＡＡに対応し、領域Ｒ２は額縁領域に対応している。
【００５９】
図８に示す例では、領域Ｒ１及び領域Ｒ２のいずれにおいても、第１電極４、６それぞれは、ある１つの方向に並んだ複数の矩形の電極パッドを含む。具体的には、第１電極４、６は、ｙ方向（縦方向）に並んで互いに接続された複数の第２電極を含み、第２電極５、７は、ｘ方向（横方向）に並んで互いに接続された複数の電極パッドを含む。領域Ｒ１の第１電極４及び第２電極５の電極パッドと、領域Ｒ２の第１電極６及び第２電極７の電極パッドの大きさは異なっている。そのため、領域Ｒ１の第１電極４間の間隔と領域Ｒ２の第１電極６間の間隔が異なり、かつ、領域Ｒ１の第２電極５間の間隔と領域Ｒ２の第２電極７間の間隔が異なっている。
【００６０】
具体的には、領域Ｒ２における第１電極６及び第２電極７の電極パッドの大きさ及びピッチは、領域Ｒ１の第１電極４及び第２電極５の電極パッドの大きさ及びピッチより小さくなっている。そのため、領域Ｒ２における第１電極６及び第２電極７の電極パッドの密度は、領域Ｒ１の第１電極４及び第２電極５の電極パッドの密度より高くなっている。これにより、領域Ｒ２の検出精度を領域Ｒ１より高くすることができる。例えば、領域Ｒ２において、対象物の動きを領域Ｒ１よりも細かく検出することが可能になる。
【００６１】
領域Ｒ２の第２電極７のうち領域Ｒ１の第２電極５に接続された第２電極７−２、７−４、…、７−１２は、表示領域ＡＡの第１の辺（図８では右辺）に沿って延びる引き出し配線７ｃを介して、ＴＰコントローラ１１へ接続される。領域Ｒ２の第２電極７のうち領域Ｒ１の第２電極５に接続されていない第２電極７−１、７−３、…、７−１３は、表示領域ＡＡの上記第１の辺に対向する第２の辺（図８では左辺）に沿って延びる引き出し配線７ｃを介して、ＴＰコントローラ１１へ接続される。
【００６２】
なお、表示領域ＡＡの１辺（図８に示す例では左辺）に沿って並んだ、領域Ｒ１の第２電極５に接続されない領域Ｒ２の第２電極７−１、７−３、…７−１３は、表示領域ＡＡの上記１辺に対向する辺（本例では右辺）に沿って並んだ、領域Ｒ２の第２電極７−１、７−３、…７−１３にそれぞれ接続されている。これらの表示領域ＡＡを間に挟んで配置される第２電極は、領域Ｒ１における第１電極４及び第２電極５が設けられる層とは絶縁膜を介して隔てられた層の配線によって、互いに接続することができる。
【００６３】
なお、領域Ｒ１の第１電極４及び第２電極５の材料（例えば、ＩＴＯ等）と、領域Ｒ２の第１電極６及び第２電極７の材料とは同じであってもよい。
【００６４】
（変形例）
図９は、領域Ｒ１と領域Ｒ２とで間隔が異なる第１電極及び第２電極の変形例を示す図である。図９は領域Ｒ１、領域Ｒ２及び配線領域Ｈの一部の電極構成例を示している。図９に示す例では、領域Ｒ１における第１電極４及び第２電極５の電極パッドの形状と、領域Ｒ２における第１電極６及び第２電極７の電極パッドの形状とは相似であるが、大きさが異なっている。
【００６５】
（動作例）
図８又は図９に示す例では、領域Ｒ２の駆動電極である第２電極７−１〜７−１３のうち一部（７−２、７−４、…７−１２）が、領域Ｒ１の第２電極５−１〜５−６と繋がっている。すなわち、駆動電極の一部が領域Ｒ１と領域Ｒ２で共通となっている。
【００６６】
図１０は、図８のタッチパネル２における第２電極５、７へ入力される駆動信号の波形の一例を示す図である。図１０において、ＤＬ１（Ｅｄｇｅ）、ＤＬ３（Ｅｄｇｅ）、…、ＤＬ１３（Ｅｄｇｅ）は、領域Ｒ２に形成される第２電極７−１、７−３、…、７−１３、すなわち額縁領域専用の駆動電極へそれぞれ入力される駆動信号の波形を表している。ＤＬ２（ＡＡ＆Ｅｄｇｅ）、ＤＬ４（ＡＡ＆Ｅｄｇｅ）、…、ＤＬ１２（ＡＡ＆Ｅｄｇｅ）、は、領域Ｒ１及び領域Ｒ２双方に跨って形成される第２電極５−１＆７−２、５−２＆７−４、…、５−６＆７−１２、すなわち領域Ｒ１と領域Ｒ２で共通の駆動電極へそれぞれ入力される駆動信号の波形を表している。
【００６７】
図１０に示す例では、第２電極７−１、５−１＆７−１、７−３、５−２＆７−２、５−３＆７−３、…、５−６＆７−６、７−１３に対して、順次、パルスが、周期Ｔｄで、予め決められた回数すなわちＮ回（本例ではＮ＝２）ずつ印加される。ここで、領域Ｒ２の第１電極６間の間隔は、領域Ｒ１の第１電極４間の間隔より小さく、かつ、領域Ｒ２の第２電極７間の間隔は、領域Ｒ１の第２電極５間の間隔より小さい。そのため、領域Ｒ２では、横方向及び縦方向、すなわち、第１電極６が並ぶ方向及び第２電極７が並ぶ方向の双方におけるタッチパネルの解像度が領域Ｒ１より高くなる。
【００６８】
なお、第１電極及び第２電極の構成は、上記例に限定されない。例えば、上記構成において、第１電極４、６又は第２電極５、７の材料、引き出し配線４ｃ、６ｃ、７ｃの引き出し方向、若しくは、第１電極４、６及び第２電極５，７の接続先のＴＰコントローラ１１のうち、少なくとも１つを、領域Ｒ１と領域Ｒ２で異ならせることもできる。
【００６９】
＜実施形態４＞
図１１は、実施形態４における表示装置１０の構成の一例を示す図である。図１１に示す例では、第１電極４、６及び第２電極５、７の構成、並びに、ＴＰコントローラの構成が、実施形態１〜３とは異なっている。図１１に示す例では、領域Ｒ１の第２電極５の引き出し配線５ｃの配置位置と、領域Ｒ２の第２電極７の引き出し配線７ｃの配置位置が異なっている。本実施形態では、領域Ｒ２は、図１１に示す領域Ｒ２１及び領域Ｒ２２の総称とする。
【００７０】
具体的には、領域Ｒ１の第２電極５は、第２電極５が形成される領域の左右に配置された引き出し配線５ｃを介して、領域Ｒ１の下に配置された第１のＴＰコントローラ１１ａに接続される。これに対して、領域Ｒ１の左の領域Ｒ２１では、領域Ｒ２１の第２電極７が形成される領域の右に配置された引き出し配線７ｃを介して、第２のＴＰコントローラ１１ｂへ接続される。領域Ｒ１の右の領域Ｒ２２では、領域Ｒ２２の第２電極７が形成される領域の左に配置された引き出し配線７ｃを介して、第２のＴＰコントローラ１１ｂへ接続される。すなわち、図１１に示す例では、領域Ｒ１の引き出し配線５ｃは、タッチパネル２の内側から外側へ向かう方向に第２配線５から引き出される。領域Ｒ２１及び領域Ｒ２２の引き出し配線７ｃは、タッチパネル２の外側から内側へ向かう方向に第２配線７から引き出される。領域Ｒ１と領域Ｒ２とでは、第２電極から引き出し配線を引き出す向きが異なっている。
【００７１】
このように、領域Ｒ１と領域Ｒ２とで引き出し配線の配置位置を異ならせることで、領域Ｒ１及び領域Ｒ２のそれぞれに適した検出性能を得るための電極の配置が容易になる。例えば、図１１の例では、領域Ｒ２においては、タッチパネル２の左右の端部に沿う位置に第１電極６及び第２電極７が配置され、その内側に第２電極７の引き出し配線７ｃが配置される。すなわち、領域Ｒ１と領域Ｒ２の間に、第２電極５、７とＴＰコントローラ１１ａ、１１ｂとを繋ぐ引き出し配線５ｃ、７ｃが配置される。これにより、タッチパネル２の端部に近い位置に第１電極６及び第２電極７が設けられるため、表示装置１０のエッジにおける対象物の検出性能をより高めることができる。
【００７２】
また、領域Ｒ１の第１電極４及び第２電極５が接続されるＴＰコントローラ１１ａと、領域Ｒ２の第１電極６及び第２電極７が接続されるＴＰコントローラ１１ｂとが異なっている。すなわち、領域Ｒ１における第１電極４及び第２電極５の信号を制御して領域Ｒ１における対象物を検出する第１のＴＰコントローラ１１ａと、領域Ｒ２における第１電極６及び第２電極７の信号を制御して領域Ｒ２における対象物を検出する第２のＴＰコントローラ１１ｂが、それぞれ、設けられる。第１のＴＰコントローラ１１ａと第２のＴＰコントローラ１１ｂは、例えば、それぞれ、別々の半導体チップで形成することができる。
或いは、第１のＴＰコントローラ１１ａと第２のＴＰコントローラ１１ｂは、例えば、同一の半導体チップで形成し、それぞれ、独立した駆動を可能にするシステム構成としてもよい。
【００７３】
このように、領域Ｒ１の電極への駆動信号を制御する第１のＴＰコントローラ１１ａと、領域Ｒ２の電極への駆動信号を制御する第２のＴＰコントローラ１１ｂとを、それぞれ独立して設けることで、領域Ｒ１及び領域Ｒ２のそれぞれの検出特性に応じた駆動が容易になる。
【００７４】
図１２は、図１１のタッチパネル２における第２電極５、７へ入力される駆動信号の波形の一例を示す図である。図１２において、上部のＤＬ１（ＡＡ）、ＤＬ２（ＡＡ）、ＤＬ３（ＡＡ）、…ＤＬ６（ＡＡ）は、第１のＴＰコントローラ１１ａから領域Ｒ１における第２電極５−１、５−２、５−３、…、５−６へそれぞれ入力される駆動信号の波形を表している。下部のＤＬ１（Ｅｄｇｅ）、ＤＬ２（Ｅｄｇｅ）、ＤＬ３（Ｅｄｇｅ）、…、ＤＬ６（Ｅｄｇｅ）は、第２のＴＰコントローラ１１ｂから領域Ｒ２における第２電極７−１、７−２、７−３、…、７−６へそれぞれ入力される駆動信号の波形を表している。
【００７５】
図１２に示す例では、領域Ｒ１では、駆動電極である第２電極５−１、５−２、５−３、…５−６に対して、第１のＴＰコントローラ１１ａから順次、パルスが、周期Ｔ１ｄで、予め決められた回数すなわちＮ１回（本例ではＮ１＝２）ずつ印加される。
【００７６】
領域Ｒ２では、駆動電極である第２電極７−１、７−２、７−３、…７−６に対して、第２のＴＰコントローラ１１ｂから順次、パルスが、周期Ｔ２ｄで、予め決められた回数すなわちＮ２回（本例ではＮ１＝４）ずつ印加される。すなわち、領域Ｒ２における駆動電極に入力される駆動信号のパルスの数、すなわち、積分回数Ｎ２は、領域Ｒ１における積分回数Ｎ１とは異なっている。また、領域Ｒ２における駆動信号のパルスの周期Ｔ２ｄも、領域Ｒ１における駆動信号のパルスの周期Ｔ１ｄと異なっている。本例では、領域Ｒ１における１フレーム分の動作時間Ｔ１ｆと、領域Ｒ２における１フレーム分の動作時間Ｔ２ｆは同じである。
【００７７】
本実施形態では、第１のＴＰコントローラ１１ａが、領域Ｒ１の駆動信号を制御する。第２のＴＰコントローラ１１ｂが、領域Ｒ２の駆動信号を制御する。このように、領域Ｒ１と領域Ｒ２とで、制御系統を分けることにより、それぞれで求められる検出特性を得るための、パルス周期、積分回数等の制御が容易になる。
【００７８】
図１３は、図１１に示すタッチパネル２を含む表示装置１０全体の処理の流れの例を示す図である。図１３に示す例では、表示領域ＡＡに対する対象物の接触又は接近を検出するためのタッチシグナルが、タッチパネル２の領域Ｒ１の第１電極４を介して第１のＴＰコントローラ１１ａへ送信される（Ｓ１）。また、表示領域ＡＡの外側の額縁領域に対する対象物の接触又は接近を検出するためのタッチシグナルが、領域Ｒ２の第１電極６を介して第２のＴＰコントローラ１１ｂへ送信される（Ｓ２）。
【００７９】
第１のＴＰコントローラ１１ａは、領域Ｒ１からのタッチシグナルに基づいて、表示領域ＡＡにおけるタッチ入力データ（例えば、座標ｘ１、ｙ１）を演算する（Ｓ３ａ）。第２のＴＰコントローラ１１ｂは、領域Ｒ２からのタッチシグナルに基づいて、表示領域ＡＡの周囲の額縁領域におけるタッチ入力データ（例えば、座標ｘ２、ｙ２）を演算する（Ｓ３ｂ）。
【００８０】
第１のＴＰコントローラ１１ａ及び第２のＴＰコントローラ１１ｂは、タッチ入力データを、例えば、表示装置１０が備えるコンピュータに出力する。表示装置１０のコンピュータで実行させる端末ＯＳやアプリケーションによる処理において、第１及び第２のＴＰコントローラ１１ａ、１１ｂから出力されるタッチ入力データが使用される（Ｓ４）。
【００８１】
また、一例として、第１のＴＰコントローラ１１ａ又は第２のＴＰコントローラ１１ｂは、額縁へのホバー高さ等も演算してもよい。或は、第１及び第２のＴＰコントローラ１１ａ、１１ｂから出力されたタッチ入力データを用いて、表示装置１０のコンピュータが、ホバー高さ等を演算することもできる。
【００８２】
なお、第１電極及び第２電極の構成は、上記例に限定されない。例えば、上記構成において、第１電極４、６又は第２電極５、７の材料は、領域Ｒ１と領域Ｒ２とで同じであっても異なっていてもよい。また、上記例では、領域Ｒ１の第１電極４間の間隔と領域Ｒ２の第１電極６間の間隔が異なっている。これに対して、領域Ｒ１の第１電極４及び第２電極５の間隔及び形状と、領域Ｒ２の第１電極６及び第２電極７の間隔及び形状を同じにしてもよい。或は、領域Ｒ１の第１電極４及び第２電極５が接続されるＴＰコントローラと、領域Ｒ２の第１電極６及び第２電極７が接続されるＴＰコントローラを同じにしてもよい。
【００８３】
＜実施形態５＞
図１４は、実施形態５における表示装置の層構成の一例を示す図である。図１５は、図１４に示す表示装置１０の断面図である。図１６は、図１４及び図１５に示すタッチパネル２の第１の層２−１の電極構成例を示す図である。図１７は、図１４及び図１５に示すタッチパネル２の第２の層２−２の電極構成例を示す図である。図１５は、図１６及び図１７におけるＡ−Ａ線に沿う断面を示している。
【００８４】
図１４に示す表示装置１０では、表示パネル１とタッチパネル２が重なった状態でフレーム８内に配置される。タッチパネル２は、第１の層２−１と、第２の層２−２を含んでいる。図１５に示すように、第１の層２−１は、透明基板２−１ｂと透明基板２−１ｂに設けられた領域Ｒ１の第１電極４及び第２電極５を含む。第１の層２−２は、透明基板２−２ｂと透明基板２−２ｂに設けられた領域Ｒ２の第１電極６及び第２電極７を含む。すなわち、領域Ｒ１の第１電極４及び第２電極５と、領域Ｒ２の第１電極６及び第２電極７は、絶縁層の一例である透明基板２−１ｂを介して、異なる層に形成される。
【００８５】
図１６に示すように、第１の層２−１では、表示領域ＡＡに重なる領域Ｒ１に第１電極４及び第２電極５が配置される。第１電極４は、領域Ｒ１の下辺から引き出し配線４ｃにより引き出されてＴＰコントローラ１１へ接続される。第２電極５は、領域Ｒ１の左辺及び右辺から引き出し配線５ｃにより引き出され、ＴＰコントローラ１１に接続される。
【００８６】
図１７に示すように、第２の層２−２では、領域Ｒ１の外側の領域Ｒ２、すなわち、額縁領域において、第１電極６及び第２電極７が配置される。第１電極６は、縦方向に延びる線状の電極であり、領域Ｒ２の第２電極７は、横方向に延びる線状の電極で形成される。第１電極６と第２電極７とは絶縁層を介して互いに隔てられて配置される。
【００８７】
図１６及び図１７に示すように、領域Ｒ１の第１電極４及び第２電極５と、領域Ｒ２の第１電極６及び第２電極７を異なる層に形成することで、表示領域ＡＡに重なる領域Ｒ１と、その外側の領域Ｒ２の双方で求められる検出性能に応じた設計が容易になる。
【００８８】
図１７の例では、領域Ｒ２の第１電極６及び第２電極７は線状であるが、これらは、例えば、領域Ｒ１の第１電極４及び第２電極５と同様に、１つの方向に並ぶ互いに接続された矩形の電極パッドで形成されてもよい。この場合、第１電極６及び第２電極７は、透明基板２−２ｂ上の同じ面上に設けることができる。
【００８９】
図１６に示す領域Ｒ１の第１電極４及び第２電極５の間隔及び形状は、図１７に示す領域Ｒ２の第１電極６及び第２電極７の間隔及び形状と異なっている。これに対して、領域Ｒ１の第１電極４及び第２電極５の間隔又は形状と、領域Ｒ２の第１電極６及び第２電極７の間隔又は形状が同じであってもよい。
【００９０】
また、図１６及び図１７に示す例では、領域Ｒ１の第１電極４及び第２電極５、並びに、領域Ｒ２の第１電極６及び第２電極７は、いずれも同じＴＰコントローラ１１に接続されている。これに対して、領域Ｒ１の第１電極４及び第２電極５が接続される第１のＴＰコントローラと、領域Ｒ２の第１電極６及び第２電極７が接続される第２のＴＰコントローラが、それぞれ独立して設けられてもよい。
【００９１】
本実施形態５におけるタッチパネル２は、例えば、図３又は図１２に示した駆動信号と同様の駆動信号を用いて動作させることができるが、駆動信号は、特定のものに限定されない。領域Ｒ２の第１電極６及び第２電極７の構成は、上記例に限られず、上記実施形態１〜４、下記実施形態７又はそれらの変形例を適用することもできる。
【００９２】
＜実施形態６＞
上記実施形態１〜５において、領域Ｒ２は表示領域ＡＡと重なっていないが、領域Ｒ２の少なくとも一部を表示領域ＡＡと重ねて配置することもできる。図１８は、実施形態６における表示装置１０の構成の一例を示す図である。図１８に示す例では、領域Ｒ２も、表示パネル１の表示領域ＡＡ２と重なる位置に配置される。表示パネル１は、タッチパネル２の領域Ｒ１に対応する第１表示領域ＡＡ１と、タッチパネル２の領域Ｒ２に対応する第２表示領域ＡＡ２とを有する。領域Ｒ１の第１電極４及び第２電極５は、第１表示領域ＡＡ１と重なる領域に設けられる。領域Ｒ２の第１電極６及び第２電極７は、第２表示領域ＡＡ２と重なる領域に設けられる。
【００９３】
図１８に示す例では、第１電極４、６及び第２電極５、７の構成は、図６と同様となっているが、これに限定されない。例えば、図２、図８、図１１、又は、図１６及び図１７と同様に、第１電極４、６及び第２電極５、７を構成することもできる。また、領域Ｒ１と領域Ｒ２とで、対象物を検出するための電極の材料、電極の間隔、電極の形状、電極が接続されるＴＰコントローラ、又は、電極に接続される引き出し配線の配置位置のうち、少なくとも１つが異なっている構成とすることができる。これにより、領域Ｒ１と領域Ｒ２とで検出性能が異なる構成とすることができる。
【００９４】
このように検出性能が異なる領域Ｒ１及び領域Ｒ２に、それぞれ第１表示領域ＡＡ１及び第２表示領域ＡＡ２が重ねて配置される。第１表示領域ＡＡ１に表示される画像及び第２表示領域ＡＡ２に表示される画像を、それぞれ制御することで、第１表示領域ＡＡ１及び第２表示領域ＡＡ２それぞれにおいて、検出性能に応じたユーザインターフェースを提供することができる。
【００９５】
図１９は、実施形態６における表示装置１０の構成例を示す機能ブロック図である。図１９に示す例では、表示装置１０は、表示パネル１、タッチパネル２、画像処理部４０、表示制御部３０を備える。表示制御部３０は、第１画像生成部３１及び第２画像生成部３２を有する。
【００９６】
表示制御部３０は、タッチパネル２から対象物の位置情報を取得し、対象物の位置情報に基づいて表示する画像を決定し、画像データを表示パネル１へ出力する。特に、第１画像生成部３１は、タッチパネル２の領域Ｒ１において検出された対象物の位置に基づいて、第１表示領域ＡＡ１に表示する画像を生成する。第２画像生成部３２は、領域Ｒ２において検出された対象物の位置に基づいて、第２表示領域ＡＡ２に表示する画像を生成する。
【００９７】
なお、第１画像生成部３１は、領域Ｒ２にだけでなく領域Ｒ１で検出された対象物の位置に基づいて画像を生成してもよい。また、第２画像生成部３２は、領域Ｒ１だけでなく領域Ｒ２で検出された対象物の位置に基づいて画像を生成してもよい。
【００９８】
表示制御部３０は、例えば、画像処理専用のプロセッサ、ＣＰＵ又はこれらの組み合わせで構成することができる。例えば、表示装置１０が備えるコンピュータで実行されるＯＳにおいて、表示制御部３０による処理の一部または全部が実行されてもよい。
【００９９】
画像処理部４０は、第１画像データ及び第２画像データを処理して、表示パネル１へ入力する。表示パネル１は、画像処理部４０から入力された画像データに基づいて、第１表示領域ＡＡ１及び第２表示領域ＡＡ２に、画像を表示する。画像処理部４０は、第１画像データ及び第２画像データを合成した画像データを表示パネル１へ入力することができる。或は、画像処理部４０は、第１画像データ及び第２画像データをそれぞれ、表示パネル１へ入力し、表示パネル１において合成処理を実行する形態でもよい。さらにまた、表示制御部３０が、第１画像データ及び第２画像データを合成した画像データ、すなわち、第１表示領域ＡＡ１に表示する画像及び第２表示領域ＡＡ２に表示する画像を合成した画像データを、画像処理部４０へ入力する形態であってもよい。
【０１００】
図２０は、第１表示領域ＡＡ１及び第２表示領域ＡＡ２に表示される画像の一例を示す図である。図２０に示す例では、第１表示領域ＡＡ１には、ＯＳにより提供されるＧＵＩの画像が表示される。第２表示領域ＡＡ２には、表示装置１０独自のＧＵＩを実現する画像が表示される。この例では、第１表示領域ＡＡ１は、表示装置１０が本来目的とするメイン表示を担い、第２表示領域ＡＡ２は、メイン表示におけるＧＵＩを補助するためのサブ表示を担うことができる。サブ表示の例としては、例えば、電池残量、電波状態、時刻、日付、天気等の各種ガイダンス、メール着信ボタン、ショートカット、タッチパッド、キーボード、ダイヤル、スイッチなど、ユーザ入力を受け付ける表示オブジェクトが挙げられる。これにより、表示領域ＡＡ１が提供するインターフェースとは別に、ユーザインターフェースを実現することができる。
【０１０１】
第１表示領域ＡＡ１に対応する領域Ｒ１では、タッチパネル２の第１電極４及び第２電極５に、例えば、ＩＴＯ等の透明電極を用いることができる。これに対して、第２表示領域ＡＡ２に対応する領域Ｒ２では、第１電極６及び第２電極７に、金属の電極を用いることができる。さらに、第１電極６及び第２電極７を、領域Ｒ１よりも密度に配置することができる。これにより、領域Ｒ２における検出性能を領域Ｒ１よりも高めることができる一方で、領域Ｒ２の透過率が領域Ｒ１より下がる場合がある。第２表示領域ＡＡ２の透過率が下がったとしても、第２表示領域ＡＡ２はメイン表示ではなく、サブ表示であるため、表示品質にそれほど大きな影響は与えにくい。そのため、本来目的とする表示の品質を確保しつつも、領域Ｒ２の検出性能を向上させることができる。
【０１０２】
本実施形態の表示制御部は、上記実施形態１〜６及び下記実施形態７又はこれらの変形例に適用することができる。
【０１０３】
＜実施形態７＞
上記実施形態１〜６では、表示領域ＡＡに重なる領域Ｒ１の左右に領域Ｒ２が配置される。しかし、領域Ｒ１と領域Ｒ２の配置は上記例に限られない。領域Ｒ１の周辺に必要に応じて領域Ｒ２を配置することができる。例えば、領域Ｒ１の左右ではなく、領域Ｒ１の上下に領域Ｒ２が配置されてもよい。また、領域Ｒ１の左右及び上下に領域Ｒ２を配置することもできる。或は、領域Ｒ１の４辺のうち１辺に沿って領域Ｒ２を配置することも可能である。
【０１０４】
図２１は、領域Ｒ１の上下に領域Ｒ２が配置される例を示す図である。図２１に示す例では、領域Ｒ１の上辺に沿う領域と、下辺（底辺）に沿う領域とに領域Ｒ２が配置される。具体的には、上下方向に延びる領域Ｒ１の第１電極４が領域Ｒ１の上辺と下辺から外側まで延びて形成される。領域Ｒ１の外側にまで延びた第１電極は、領域Ｒ２において横方向に延びる第２電極７と平面視で交差する。すなわち、領域Ｒ１の外側において第２電極７−１〜７−４と交差する第１電極が、領域Ｒ２の第１電極６となる。この例では、領域Ｒ１の第１電極４と領域Ｒ２の第１電極６とが接続されている。このように、領域Ｒ１と領域Ｒ２で、第１電極を共通にすることができる。
【０１０５】
図２２は、図２１のタッチパネル２における第２電極５、７へ入力される駆動信号の波形の一例を示す図である。図２２において、ＤＬ１（Ｅｄｇｅ）、ＤＬ２（Ｅｄｇｅ）は、領域Ｒ１の上の領域Ｒ２の第２電極７−１、７−２にそれぞれ入力される駆動信号の波形を表している。ＤＬ３（ＡＡ）、ＤＬ４（ＡＡ）…ＤＬ６（ＡＡ）は、領域Ｒ１における第２電極５−１、５−２、…、５−６へそれぞれ入力される駆動信号の波形を表している。ＤＬ８（Ｅｄｇｅ）、ＤＬ９（Ｅｄｇｅ）は、領域Ｒ１の下の領域Ｒ２の第２電極７−３、７−４へそれぞれ入力される駆動信号の波形を表している。
【０１０６】
図２２に示す例では、領域Ｒ１の上の領域Ｒ２における駆動電極である第２電極７−１、７−２へ、パルスが、周期Ｔ２ｄで、予め決められた回数すなわちＮ２回（本例ではＮ２＝２）ずつ、印加される。その後、領域Ｒ２の駆動電極である第２電極５−１〜５−６へ、順次、パルスが、周期Ｔ１ｄで、予め決められた回数すなわちＮ１回（本例ではＮ１＝１）ずつ印加される。その後、領域Ｒ１の下の領域Ｒ２における第２電極７−３、７−４に、順次、パルスが、周期Ｔ２ｄで、Ｎ２回ずつ印加される。
【０１０７】
領域Ｒ２の駆動電極に入力される駆動信号のパルスの数Ｎ２及び周期Ｔ２ｄは、いずれも、領域Ｒ１におけるパルスの数Ｎ１及び周期Ｔ１ｄと異なっている。領域Ｒ１における１フレーム分の動作時間Ｔ１ｆと、領域Ｒ２における１フレーム分の動作時間Ｔ２ｆは同じである。
【０１０８】
図２３は、領域Ｒ１の左右及び上下に領域Ｒ２が配置される例を示す図である。図２３に示す例では、領域Ｒ１の左辺、右辺、上辺、及び下辺（底辺）に沿う領域に領域Ｒ２が配置される。すなわち、領域Ｒ１を囲む領域に領域Ｒ２が配置される。この例では、領域Ｒ１が表示領域ＡＡと過不足なく重なるので、領域Ｒ２は、表示領域ＡＡの周囲を囲むように設けられることになる。具体的には、上下方向に延びる領域Ｒ１の第１電極４が、表示領域ＡＡの上辺と下辺から外側まで延びて形成される。さらに、左右方向に延びる領域Ｒ１の第２電極５が、領域Ｒ１の左辺と右辺から外側にまで延びて形成される。
【０１０９】
領域Ｒ１の上辺から外に伸びた第１電極は、領域Ｒ２において横向きに延びる第２電極７−１４〜７−１５と平面視で交差する。領域Ｒ１の下辺から外に伸びた第１電極は、領域Ｒ２において横向きに延びる第２電極７−１６〜７−１７と平面視で交差する。このように領域Ｒ１の上と下において、第２電極７−１４〜７−１７と交差する第１電極が、領域Ｒ２の第１電極６となる。領域Ｒ１の左辺及び右辺から外に伸びた第２電極は、領域Ｒ２において縦向きに延びる第１電極６と平面視で交差する。このように領域Ｒ１の左と右において、第１電極６と交差する第２電極７−１〜７−１３が、領域Ｒ２の第２電極となる。
【０１１０】
図２３に示す例では、領域Ｒ１の第１電極４と領域Ｒ２の第１電極６の一部が接続され、領域Ｒ１の第２電極５と領域Ｒ２の第２電極７の一部が接続されている。このように、領域Ｒ１と領域Ｒ２で、第１電極及び第２電極を共通にすることができる。なお、図２３に示す領域Ｒ１の第１電極４及び第２電極５、並びに、領域Ｒ１の左右における領域Ｒ２の第２電極７−１〜７−１３の構成は、図８と同じである。すなわち、領域Ｒ１の左右における領域Ｒ２では、領域Ｒ１の第２電極５に接続されていない第２電極７の間に、領域Ｒ１の第２電極５に接続された第２電極７が少なくとも１本配置される。
【０１１１】
さらに、領域Ｒ１の左に配置された領域Ｒ２の第１電極６（図２３の例ではでは５本の第１電極６）は、領域Ｒ１の上に配置された第２電極７−１４、７−１５及び領域Ｒ１の下に配置された第２電極７−１６、７−１７と交差している。同様に、領域Ｒ１の右に配置された領域Ｒ２の第１電極６（図２３の例ではでは５本の第１電極６）は、領域Ｒ１の上に配置された第２電極７−１４、７−１５及び領域Ｒ１の下に配置された第２電極７−１６、７−１７と交差している。このように、領域Ｒ２において、領域Ｒ１の隣接する２辺に沿って配置される電極を交差させて形成することにより、領域Ｒ１の上記２辺の間の角の周囲において対象物を検出可能な構成にできる。
【０１１２】
図２４は、図２３のタッチパネル２における第２電極５、７へ入力される駆動信号の波形の一例を示す図である。図２４において、ＤＬ１（Ｅｄｇｅ上）、ＤＬ２（Ｅｄｇｅ上）は、領域Ｒ１の上の領域Ｒ２の第２電極７−１４、７−１５にそれぞれ入力される駆動信号の波形を表している。ＤＬ３（Ｅｄｇｅ左右）は、領域Ｒ１の左右に配置された領域Ｒ２の第２電極７−１に入力される駆動信号の波形を表している。ＤＬ４（ＡＡ＋Ｅｄｇｅ左右）は、領域Ｒ１の第２電極５−１及びその両端に接続された領域Ｒ２の第２電極７−２、ＤＬ１４（ＡＡ＋Ｅｄｇｅ左右）は、領域Ｒ１の第２電極５−６及びそれらの左右に接続された領域Ｒ２の第２電極７−１２に入力される駆動信号の波形を表している。ＤＬ１５（Ｅｄｇｅ左右）は、領域Ｒ１の左右に配置された領域Ｒ２の第２電極７−１３、ＤＬ１６（Ｅｄｇｅ下）、ＤＬ１７（Ｅｄｇｅ下）は、領域Ｒ１の下の領域Ｒ２の第２電極７−１６、７−１７に、それぞれ、入力された駆動信号の波形を表している。
【０１１３】
図２４に示す例では、駆動電極である第２電極７−１４、７−１５、７−１、７−２＆５−１、７−３、７−４＆５−２、・・・、７−１２＆５−６、７−１３、７−１６、７−１７へ、パルスが、周期Ｔｄで、予め決められた回数すなわちＮ回（本例ではＮ＝２）ずつ、順次、印加される。
【０１１４】
図２３に示す例では、領域Ｒ２の駆動電極及び受信電極（第１電極６及び第２電極７−１〜７−１７）の間隔が、領域Ｒ１の駆動電極及び受信電極（第１電極４及び第２電極５）の間隔より狭くなっている。そのため、表示領域ＡＡを囲む額縁領域のＸ方向及びＹ方向のタッチ解像度が、表示領域ＡＡより向上する。
【０１１５】
図２４に示す例では、領域Ｒ１の第１電極６及び第２電極７−１〜７−１７は、複数の矩形の電極パッドを含むダイヤパターンであるが、第１電極６及び第２電極７−１〜７−１７の少なくとも一部は、線状に形成することができる。
【０１１６】
＜実施形態８＞
上記の実施形態１〜７における表示装置１０において、タッチパネル２の領域Ｒ２の第１電極６及び第２電極７により、透明カバー２ａの縁における対象物の接触又は接近を検知する構成とすることができる。
【０１１７】
図２５は、タッチパネル２の透明カバー２ａの縁における対象物を検知する構成の一例を示す断面図である。図２５に示す例では、表示領域ＡＡを有する表示パネル１とタッチパネル２が重なった状態でフレーム８に格納される。タッチパネル２は、第１電極４、６及び第２電極５、７が設けられる透明基板２ｂと、透明基板２ｂを覆う透明カバー２ａを備える。
【０１１８】
タッチパネル２は、表示領域ＡＡと重なる領域Ｒ１と、額縁領域Ｃと重なる領域Ｒ２とを有する。額縁領域Ｃと重なる領域には、領域Ｒ２の他に、例えば、引き出し配線を配置するための引き出し配線領域が設けられてもよい。
【０１１９】
図２５に示す例では、透明カバー２ａの上面２ａｕに接続される側面（端面）２ａｒは曲面で形成されている。このように、端面を曲面加工することで、透明カバー２ａの端部、すなわち上面２ａｕと側面２ａｒとが接続される部分のエッジを滑らかにできる。また、透明カバー２ａの端部のエッジは、筐体から露出している。このように、透明カバー２ａの側面２ａｒの少なくとも一部を露出させ、露出している部分の対象物の接触又は接近をタッチパネル２で検知する構成としてもよい。これにより、ユーザは、透明カバー２ａの端部のエッジに触れる動作又はエッジをなぞる動作により、表示装置１０を操作することができる。
【０１２０】
また、透明カバー２ａの側面２ａｒを曲面で形成することで、透明カバー２ａをレンズにすることができる。例えば、表示パネル１の表示領域ＡＡから出射される光の進行方向は、側面２ａｒにおいて変更される。図２５に示すように、透明カバー２ａの側面２ａｒでは、透明カバー２ａの厚みが外側に行くにつれて小さくなるように形成される。このように、透明カバー２ａの厚みを異ならせることで、タッチパネル２の検出精度又は検出される容量値を、異ならせることができる。
【０１２１】
表示領域ＡＡより外側、すなわち、図２５に示す額縁領域Ｃにおけるフレーム８又は透明カバー２ａの表面と、タッチパネル２の外縁に沿って設けられた第２電極７との距離ｄは、タッチパネル２の検知可能距離以下とすることができる。検知可能距離は、タッチパネル２が対象物の存在を検知することが可能な距離である。これにより、表示領域ＡＡの外側の表示装置１０の表面に対する対象物の接触または接近を検知することができる。
【０１２２】
また、上記の距離ｄは、表示パネル１の表示面と垂直方向で、かつ、タッチパネル２（具体的には第１電極４、６および第２電極５、７）と透明カバー２ａの上面２ａｕとの距離ｄ１以下とすることができる。これにより、表示領域ＡＡの外側の表示装置１０の表面に対する対象物の接触または接近をより確実に検知することができる。なお、フレーム８及び透明カバー２ａの構成は、図２５に示した例に限られない。
【０１２３】
例えば、透明カバー２ａは、表示領域ＡＡとその外側の額縁領域Ｃとの境界を跨ぐように配置されたレンズ部Ｌを有することができる。図２５に示した構成の場合は、レンズ部Ｌは、透明カバー２ａの上面２ａｕに接続される側面２ａｒを曲面にすることで形成することができる。ここでは、表示領域ＡＡとその外側の額縁領域Ｃとの境界は、ｙ方向（第１の方向）に延びている。レンズ部Ｌは、表示領域ＡＡから出射された光の一部を額縁領域Ｃの側に屈折させることで、額縁領域Ｃが見え難くなり、筐体の端まで、画像を表示することができる。また、ｙ方向に垂直な平面とレンズ部Ｌの観察者側表面すなわち側面２ａｒとの交線は円弧ではない曲線とすることで、レンズ部Ｌは、表示領域ＡＡにおける複数の画素から出射された光のｙ方向に垂直な平面におけるピッチを略等しくするように光を屈折させ、表示する画像歪みを低減することができる。
【０１２４】
図２５に示す構成を備えた表示装置１０では、透明カバー２ａの縁における対象物の検出、すなわち、エッジ検出が可能となる。上記実施形態１〜７に示した表示装置１０を、エッジ検出可能な構成にすることで、エッジ検出に求められる検出性能と、表示領域ＡＡで求められる検出性能を双方とも充足する構成を得ることが容易になる。
【０１２５】
＜適用例＞
上記実施形態１〜８に記載の表示装置１０を含む各種電子機器も、本発明の実施形態に含まれる。例えば、スマートフォン、携帯電話、タブレット端末、ゲーム機、汎用コンピュータ、各種機器のリモートコントローラ、デジタルカメラ、ビデオカメラ、車載パネル、カーナビゲーション装置、テレビジョン装置、ＡＴＭ、電子掲示板、電子案内板、電子白板、等に本発明の表示装置を適用することができる。このような各種電子機器は、上記実施形態１〜８の表示装置１０を搭載することで、電子機器の用途に合った適切な検出性能を有するタッチパネルを備えることができる。
【０１２６】
以上、本発明の実施形態について説明したが、本発明の実施形態は、上記実施形態１〜８に限られない。例えば、上記実施形態は、複数の第２電極５、７に対して、順次、パルス信号を入力する逐次駆動の例であるが、複数の第２電極５、７に対して、同時にパルス信号を入力する並列駆動も可能である。並列駆動の場合は、逐次駆動に比べて動作期間を短くすることができる。また、上記実施形態は、相互容量方式のタッチパネルの動作例であるが、タッチパネル２は、自己容量方式であってもよい。
【０１２７】
上記実施形態１〜７では、領域Ｒ１と領域Ｒ２は、互いに平行な面となっている。具体的には、領域Ｒ１の第１電極及び第２電極は、領域Ｒ２の第１電極及び第２電極と同じ層に形成するか、又は、互いに平行な異なる２層にそれぞれ形成される。すなわち、領域Ｒ１の第１電極４及び第２電極５と、領域Ｒ２の第１電極６及び第２電極７は、いずれも表示領域ＡＡの表示面と平行な面に形成される。これに対して、領域Ｒ１と領域Ｒ２を平行に配置しない場合は、例えば、領域Ｒ２の第１電極６及び第２電極７を、透明カバー２ａ又は透明基板２ｂの側面に配置することができる。領域Ｒ１と領域Ｒ２を平行に配置する場合は、これらを平行に配置しない場合に比べて、製造工程が簡単になりやすい。
【０１２８】
また、表示パネルは、液晶パネルに限定されない。表示パネルは、例えば、有機ＥＬディスプレイ、プラズマディスプレイ、或は、電気泳動又はＭＥＭＳを用いたディスプレイなどであってもよい。
【符号の説明】
【０１２９】
１  表示パネル
２  タッチパネル
４  第１領域の第１電極
５  第１領域の第２電極
６  第２領域の第１電極
７  第２領域の第２電極
４ｃ、５ｃ、６ｃ、７ｃ  引き出し配線
１０  表示装置
１１  ＴＰコントローラ
３０  表示制御部
３１  第１画像生成部
３２  第２画像生成部
【図１】
2017107253.tif 000003
【図２】
2017107253.tif 000004
【図３】
2017107253.tif 000005
【図４】
2017107253.tif 000006
【図５】
2017107253.tif 000007
【図６】
2017107253.tif 000008
【図７】
2017107253.tif 000009
【図８】
2017107253.tif 000010
【図９】
2017107253.tif 000011
【図１０】
2017107253.tif 000012
【図１１】
2017107253.tif 000013
【図１２】
2017107253.tif 000014
【図１３】
2017107253.tif 000015
【図１４】
2017107253.tif 000016
【図１５】
2017107253.tif 000017
【図１６】
2017107253.tif 000018
【図１７】
2017107253.tif 000019
【図１８】
2017107253.tif 000020
【図１９】
2017107253.tif 000021
【図２０】
2017107253.tif 000022
【図２１】
2017107253.tif 000023
【図２２】
2017107253.tif 000024
【図２３】
2017107253.tif 000025
【図２４】
2017107253.tif 000026
【図２５】
2017107253.tif 000027